(57)【要約】【課題】金庫室の防火性能を向上した上で、金庫室内を監視することができる監視カメラシステムの提供。【解決手段】金属製の枠体２１を有する扉１９を備えた金庫室１６内を監視する監視カメラシステム１１であって、金庫室１６内には監視カメラ３０が設けられ、金庫室１６外には画像データを録画する録画手段５１が設けられ、監視カメラ３０と録画手段５１とが枠体２１を介して画像データを通信可能に接続されている。【選択図】図２
2011151706.tif 000002
【特許請求の範囲】
【請求項１】
金属製の枠体を有する扉を備えた金庫室内を監視する監視カメラシステムであって、
前記金庫室内には監視カメラが設けられ、
前記金庫室外には画像データを録画する録画手段が設けられ、
前記監視カメラと前記録画手段とが前記枠体を介して前記画像データを通信可能に接続されていることを特徴とする監視カメラシステム。
【請求項２】
前記金庫室内には、前記監視カメラを駆動可能な電源が設けられておらず、前記金庫室外に、前記監視カメラを駆動可能な駆動電源が設けられていて、前記扉の開状態とされた前記枠体内の開口部を介して、前記駆動電源と前記監視カメラとが接続可能となっていることを特徴とする請求項１に記載の監視カメラシステム。
【請求項３】
前記監視カメラは、前記金庫室内の照明器具と同一の駆動電源から電力供給を受ける構成とされており、前記照明器具が電源ＯＮ状態で前記監視カメラも電源ＯＮ状態となり、前記照明器具が電源ＯＦＦ状態で前記監視カメラも電源ＯＦＦ状態となることを特徴とする請求項１または２に記載の監視カメラシステム。
【請求項４】
前記同一の駆動電源の投入手段は、前記金庫室の扉近傍に配設されていることを特徴とする請求項３に記載の監視カメラシステム。
【発明の詳細な説明】
【技術分野】
【０００１】
本発明は、金庫室内を監視する監視カメラシステムに関する。
【背景技術】
【０００２】
金庫室等の監視領域に監視カメラを設置し、カメラで取得した画像データを通信回線を利用して遠隔地にある監視センタに送信するように構成された遠隔監視システムがある（例えば、特許文献１参照）。
【先行技術文献】
【特許文献】
【０００３】
【特許文献１】特開２０００−２９５５９８号公報
【発明の概要】
【発明が解決しようとする課題】
【０００４】
しかしながら、金庫室の防火の観点から、金庫室の内外を貫通して通信用のケーブルを敷設するのは極力避ける必要があり、金庫室内に監視カメラを設置して監視することが事実上困難であった。
【０００５】
したがって、本発明は、金庫室の防火性能を向上した上で、金庫室内を監視することができる監視カメラシステムの提供を目的とする。
【課題を解決するための手段】
【０００６】
上記目的を達成するために、請求項１に係る発明は、金属製の枠体を有する扉を備えた金庫室内を監視する監視カメラシステムであって、前記金庫室内には監視カメラが設けられ、前記金庫室外には画像データを録画する録画手段が設けられ、前記監視カメラと前記録画手段とが前記枠体を介して前記画像データを通信可能に接続されていることを特徴としている。
【０００７】
請求項２に係る発明は、請求項１に係る発明において、前記金庫室内には、前記監視カメラを駆動可能な電源が設けられておらず、前記金庫室外に、前記監視カメラを駆動可能な駆動電源が設けられていて、前記扉の開状態とされた前記枠体内の開口部を介して、前記駆動電源と前記監視カメラとが接続可能となっていることを特徴としている。
【０００８】
請求項３に係る発明は、請求項１または２に係る発明において、前記監視カメラは、前記金庫室内の照明器具と同一の駆動電源から電力供給を受ける構成とされており、前記照明器具が電源ＯＮ状態で前記監視カメラも電源ＯＮ状態となり、前記照明器具が電源ＯＦＦ状態で前記監視カメラも電源ＯＦＦ状態となることを特徴としている。
【０００９】
請求項４に係る発明は、請求項３に係る発明において、前記同一の駆動電源の投入手段は、前記金庫室の扉近傍に配設されていることを特徴としている。
【発明の効果】
【００１０】
請求項１に係る発明によれば、金庫室の内外に常に露出する扉の金属製の枠体を導線として使用し、この枠体を介して、金庫室内に設けられた監視カメラで撮影した画像データを、これを録画する録画手段に通信するため、金庫室の内外を貫通して通信用のケーブルを敷設することなく、画像データを通信可能となる。したがって、金庫室の防火性能を向上した上で、金庫室内を監視することができる。
【００１１】
請求項２に係る発明によれば、金庫室内には、監視カメラを駆動可能な電源、つまり常時電力を供給可能な電力供給機構（バッテリを含む）が設けられていないため、金庫室内に熱源がなく、防火上好ましい。そして、金庫室に人が出入りする時に、出入りのため扉で開状態とされた金庫室の開口部を介して、金庫室外の駆動電源に監視カメラを接続させることで、金庫室内を監視カメラで監視することができる。また、扉で開状態とされた金庫室の開口部を介して、金庫室外の駆動電源に監視カメラを接続させるため、扉を閉じるときに金庫室外の駆動電源と監視カメラとの接続を解除する必要があり、電源接続の解除忘れがない。よって、防火上さらに好ましい。加えて、電源ケーブルを金庫室内外を貫通して敷設する必要がなくなるため、防火上さらに好ましい。
【００１２】
請求項３に係る発明によれば、監視カメラが、金庫室内の照明器具と同一の駆動電源から電力供給を受ける構成とされているため、金庫室内で作業するために照明器具を電源ＯＮ状態とすると監視カメラも電源ＯＮ状態となって、自動的に金庫室内を監視可能な状態となる。また、金庫室内での作業が終了して照明器具を電源ＯＦＦ状態とすると監視カメラも電源ＯＦＦ状態となる。したがって、照明器具を電源ＯＮ状態とする、係員が金庫室内で業務を行う状況においてのみ、監視カメラを電源ＯＮ状態にでき、必要最小限の電力供給にて機能させることができる。
【００１３】
請求項４に係る発明によれば、同一の駆動電源の投入手段が、金庫室の扉近傍に配設されているため、電源の投入作業を容易に行うことができる。また、金庫室の扉近傍に配設された投入手段を操作して照明器具を電源ＯＮ状態とすると、監視カメラが電源ＯＮ状態となるため、係員の作業の流れに不自然な違和感を抱かせることなく、係員の入室に際して金庫室内を監視可能となる。
【図面の簡単な説明】
【００１４】
【図１】本発明の第１，第２実施形態の監視カメラシステムが設置された金融機関店舗の概略平面図である。
【図２】本発明の第１，第２実施形態の監視カメラシステムが設置された金融機関店舗の概略側断面図である。
【図３】本発明の第１，第２実施形態の監視カメラシステムにおける電源コンセントと電源供給用コードとの接続状態を示す側面図である。
【図４】本発明の第１，第２実施形態の監視カメラシステムを示すブロック図である。
【発明を実施するための形態】
【００１５】
本発明の第１実施形態の監視カメラシステムを図面を参照して以下に説明する。
【００１６】
図１に示すように、第１実施形態の監視カメラシステム１１は、例えば金融機関の店舗１２内に設置されるものである。金融機関の店舗１２内は、顧客との接客を行う接客スペース１３と、基本的には顧客が立ち入ることがない執務スペース１４とに区画されており、執務スペース１４は、執務室１５とその奥方の金庫室１６とに区画されている。金庫室１６内には、図示は略すが現金等を保管する金庫や重要書類を保管するキャビネット等が設置されており、このため、金庫室１６は閉塞された耐火構造とされている。金庫室１６には、基本的に一箇所のみ金庫室１６の内外を貫通する出入口（開口部）１８が設置されており、出入口１８は耐火性の扉１９で開閉可能となっている。
【００１７】
図２に示すように、扉１９は、金庫室１６の鉄筋コンクリート製の壁２０に埋設されて出入口１８を内側に形成する略矩形状の枠体２１と、枠体２１に回動可能に設けられて出入口１８を開閉する扉本体２２とを有している。ここで、扉本体２２は、左右方向一側を中心に回動するように枠体２１に支持されており、全閉状態および全開状態でのみ停止可能であり、これらの間にあるときには、自動的に全閉状態になるように付勢されている。また、枠体２１は全体が一様な金属製であり金庫室１６の内側および外側に常に露出している。
【００１８】
金庫室１６は、耐火性能上、窓類が設けられていない。そして、内部を明るく照らすための照明器具２５が金庫室１６内の天井２６に設置されている。
【００１９】
第１実施形態の監視カメラシステム１１は、上記した金庫室１６内を監視するもので、金庫室１６内の天井２６に設置されて金庫室１６内を撮像可能な内部監視カメラ（監視カメラ）３０と、この内部監視カメラ３０と扉１９の枠体２１の上部の金庫室１６内に露出する部分に設けられた内部接続点２９とを通信可能に接続する内部通信ケーブル３１と、内部通信ケーブル３１と内部監視カメラ３０との間に設けられたノイズフィルタ（ノイズ除去手段）３２とを金庫室１６内に有している。なお、図示例では、金庫室１６内に内部監視カメラ３０を１台設置しているが、複数台設置しても良い。
【００２０】
ここで、金庫室１６内は、重要物を保管する観点から上記した耐火とともに内部に火元を生じない防火が必須となっており、例えば漏電等、電力に起因した出火のリスクを避けるため、電力供給可能な電源は設けられていない。つまり、上記した照明器具２５および内部監視カメラ３０を駆動可能な駆動電源は金庫室１６内には設けられていない。そして、電力供給が必要な上記した照明器具２５および内部監視カメラ３０は、給電用配線３３を介して一つの電源供給用コード（投入手段）３５に接続されている。つまり、照明器具２５および内部監視カメラ３０は、共通のこの電源供給用コード３５を介して同一の駆動電源から電力供給を受ける構成とされており、電源供給用コード３５が駆動電源に接続されることで照明器具２５が電源ＯＮ状態になるとともに内部監視カメラ３０も電源ＯＮ状態となり、電源供給用コード３５の駆動電源への接続が解除されることで照明器具２５が電源ＯＦＦ状態となるとともに内部監視カメラ３０も電源ＯＦＦ状態となる。
【００２１】
この電源供給用コード３５は、金庫室１６における出入口１８つまり扉１９の近傍に設けられており、具体的には、係員が出入口１８から金庫室１６内に入室せずに立位姿勢のまま把持可能となるように、出入口１８の金庫室１６内側の側部近傍の比較的高い位置に設けられた係止具３６に掛けられている。この電源供給用コード３５は、出入口１８内側の側部の固定点３７から所定の長さ延設されており、この長さの範囲内であれば自由に引き回しが可能となっている。この所定の長さは、電源供給用コード３５が金庫室１６内から扉１９で開状態とされた出入口１８を介して金庫室１６の外側まで引き出し可能となる長さに設定されている。
【００２２】
これに対して、執務室１５における出入口１８つまり扉１９の近傍の側部には、商用電源等の駆動電源３９に常時給電可能に接続された電源コンセント（投入手段）４０が配設されている。よって、扉１９の扉本体２２で開状態とされた金庫室１６の出入口１８を介して電源供給用コード３５が執務室１５側に引き出され、図３に示すように、この電源供給用コード３５の先端のプラグ４１が執務室１５側の電源コンセント４０に接続されることで、駆動電源３９から、照明器具２５および内部監視カメラ３０に、電源供給用コード３５および給電用配線３３を介してこれらを駆動する大きさの電力が供給されるようになっている。なお、内部監視カメラ３０は、電力の供給中は、常に撮像を行って画像データを発信する。他方、電源供給用コード３５の先端のプラグ４１が執務室１５側の電源コンセント４０から抜かれることで、照明器具２５および内部監視カメラ３０への電力供給が断たれることになる。ここで、係員が立位姿勢のまま電源供給用コード３５のプラグ４１を接続できるように電源コンセント４０の高さ位置も係止具３６と同様、比較的高い位置に設定されている。
【００２３】
以上により、金庫室１６内には、照明器具２５および内部監視カメラ３０を駆動可能な電源が設けられておらず、金庫室１６外に、照明器具２５および内部監視カメラ３０を駆動可能な駆動電源３９の電源コンセント４０が設けられていて、扉１９の扉本体２２で開状態とされた金庫室１６の出入口１８を介して、駆動電源３９と、照明器具２５および内部監視カメラ３０とが接続可能となっている。また、照明器具２５および内部監視カメラ３０への同一の駆動電源３９の投入手段である電源供給用コード３５および電源コンセント４０は、金庫室１６の扉１９の近傍に配設されている。
【００２４】
監視カメラシステム１１は、金庫室１６外である執務室１５に、扉１９の枠体２１の上部の金庫室１６外に露出する部分に設けられた外部接続点４８から延出する外部通信ケーブル４９と、外部通信ケーブル４９に通信可能に接続されたハードディスクレコーダ等の録画装置（録画手段）５１と、外部通信ケーブル４９と録画装置５１との間に設けられたノイズフィルタ（ノイズ除去手段）５２とを有している。つまり、録画装置５１は、ノイズフィルタ３２、内部通信ケーブル３１、金属製の枠体２１、外部通信ケーブル４９およびノイズフィルタ５２を介して、内部監視カメラ３０から発信された画像データを有線で受信することになり、受信した画像データを日時情報とともに記憶する。この録画装置５１は、執務室１５に設けられていることから、上記した金庫室１６内の内部監視カメラ３０とは異なり、駆動電源３９に常時給電可能に接続されて駆動可能な電力を受けている。なお、録画装置５１は、内部監視カメラ３０からの画像データを受信している状況でのみ、受信中のすべての画像データの録画を行うように設定されている。
【００２５】
監視カメラシステム１１は、金庫室１６外である執務室１５内に、金庫室１６の出入口１８の近傍つまり扉１９の近傍を常時監視する外部監視装置（監視手段）５５が設けられている。
【００２６】
この外部監視装置５５は、執務室１５の天井５６に設置されて金庫室１６の出入口１８の近傍つまり扉１９の近傍を上方から撮像する外部監視カメラ５７と、この外部監視カメラ５７に通信可能に接続されてこの外部監視カメラ５７で撮影した画像データを日時情報とともに記憶するハードディスクレコーダ等の録画装置５９と、外部監視カメラ５７に通信可能に接続されるとともに、録画装置５１にも通信可能に接続されて、管理者の元に設置される監視装置本体６３とを有している。この外部監視装置５５も駆動電源３９に常時給電可能に接続されている。
【００２７】
図４に示すように、監視装置本体６３は、外部監視カメラ５７で撮影した画像データを解析し金庫室１６への係員の入室動作および金庫室１６内の照明点灯を認識する認識部（認識手段）６６と、録画装置５１の受信状態および認識部６６の認識結果に基づいて不正行動の有無を判定し不正行動があった場合に警告情報を発信する監視部６７と、この監視部６７から警告情報を受けると警告情報の種別と受信時点の日時である発生日時情報とを記憶する記憶部（記憶手段）６８と、監視部６７から警告情報を受けるとアラームを発生させる本体警告部（警告手段）６９と、操作部７０と、再生制御部７３と等で構成されている。本体警告部６９は、アラーム音声等を発生させる音声発生部７１と、アラーム表示等を行う表示モニタ部７２とで構成されている。
【００２８】
また、外部監視装置５５は、監視装置本体６３に通信可能に接続されてこの監視装置本体６３の監視部６７から警告情報を受けると、アラームを発生させる出入口案内部（警告手段）７６を出入口１８近傍にも有しており、出入口案内部７６も、アラーム音声等を発生させる音声発生部７７と、アラーム表示等を行う表示モニタ部７８とで構成されている。
【００２９】
監視装置本体６３の認識部６６は、例えば、外部監視カメラ５７で撮像された、扉本体２２が閉じられ扉１９の前に係員がいない状態の画像データ、扉本体２２が閉じられ扉１９の前に係員がいる状態の画像データ、扉本体２２が開かれて扉１９の前に係員がいる状態の画像データおよび扉本体２２が開かれて扉１９の前に係員がいない状態の画像データと等をマスタデータとして記憶しており、外部監視カメラ５７が現在取得している画像データを、マスタデータと比較することで、外部監視カメラ５７が現在取得している画像データでは、扉本体２２が閉じられ扉１９の前に係員がいない状態にあるのか、扉本体２２が閉じられ扉１９の前に係員がいる状態にあるのか、扉本体２２が開かれて扉１９の前に係員がいる状態にあるのか、扉本体２２が開かれて扉１９の前に係員がいない状態にあるのか等を判定可能となっている。そして、現在取得している画像データが、扉本体２２が閉じられ扉１９の前に係員がいない状態から、連続的に、扉本体２２が閉じられ扉１９の前に係員がいる状態に変化し、さらに扉本体２２が開かれて扉１９の前に係員がいる状態に変化した場合、係員の金庫室１６への入室動作が発生したと認識する。そして、扉本体２２が開かれて扉１９の前に係員がいる状態から、さらに、扉本体２２が開かれて扉１９の前に係員がいない状態に変化すると、係員の金庫室１６への入室動作が完了したと認識する。
【００３０】
また、認識部６６は、外部監視カメラ５７で取得した画像データの輝度の変化から、金庫室１６の扉本体２２が開かれた状態で金庫室１６内の照明器具２５が点灯した状態にあるか、それ以外の状態にあるかを認識するようになっている。
【００３１】
監視部６７は、認識部６６によって金庫室１６内の照明器具２５の点灯を確認した後であって、録画装置５１によって金庫室１６内の画像データを受信する前に、認識部６６によって係員の入室動作が完了したことを認識した場合、電源ＯＮから録画装置５１によって金庫室１６内の画像データを受信するまでのタイムラグの間に入室するという不正行動があったと判定して、種別が画像データ受信前入室である警告情報を発信する。
【００３２】
また、監視部６７は、録画装置５１によって金庫室１６内の画像データを受信した後であって、認識部６６によって金庫室１６内の照明器具２５の点灯を確認する前に、認識部６６によって金庫室１６への係員の入室動作を確認した場合に、電源ＯＮから照明器具２５が点灯するまでのタイムラグの間に入室するという不正行動があったと判定して、種別が点灯前入室である警告情報を発信する。
【００３３】
また、監視部６７は、録画装置５１によって金庫室１６内の画像データを受信する前であって、認識部６６によって金庫室１６内の照明器具２５の点灯を確認する前に、認識部６６によって金庫室１６への係員の入室動作を確認した場合に、電源ＯＮから照明器具２５が点灯するまでのタイムラグの間であって電源ＯＮから録画装置５１によって金庫室１６内の画像データを受信するまでのタイムラグの間に入室するという不正行動があったと判定して、種別が画像データ受信前且つ点灯前入室である警告情報を発信する。
【００３４】
つまり、監視部６７は、認識部６６によって金庫室１６内の照明器具２５の点灯を確認し且つ録画装置５１によって金庫室１６内の画像データを受信するという、これらの条件が整う前に、認識部６６によって金庫室１６への係員の入室動作を確認した場合、不正行動があったと判定して、警告情報を発信する。
【００３５】
他方、監視部６７は、認識部６６によって金庫室１６内の照明器具２５の点灯を確認し且つ録画装置５１によって金庫室１６内の画像データを受信した後に、認識部６６によって金庫室１６への係員の入室動作を確認した場合、不正行動がない正常な入室であると判定して、警告情報は発信せず、正常に金庫室１６への入室が行われたことを示す正常入室情報を出力する。
【００３６】
記憶部６８は、監視部６７から警告情報を受信すると、警告情報に含まれる画像データ受信前入室、点灯前入室、画像データ受信前且つ点灯前入室のいずれかの種別とともに、受信時点の日時である発生日時情報を関連づけて記憶する。
【００３７】
再生制御部７３は、表示モニタ部７２へのガイダンス表示にしたがって操作部７０に適宜の操作入力が行われると、記憶部６８に記憶されている全ての警告情報の種別データと発生日時情報とを関連づけて並べて表示モニタ部７２に表示させる。そして、これらからいずれか一つのデータが操作部７０で指定されると、再生制御部７３は、このデータの発生日時情報の前後所定時間において録画装置５９で録画した画像を再生し日時情報と合わせて表示モニタ部７２に表示させる。つまり、選択されたデータに対応して録画された外部監視カメラ５７による出入口１８の画像を再生する。
【００３８】
また、再生制御部７３は、表示モニタ部７２へのガイダンス表示にしたがって操作部７０に適宜の操作入力が行われると、操作部７０に指定入力された日時情報において録画装置５１で録画した画像を再生し日時情報と合わせて表示モニタ部７２に表示させる。つまり、選択された日時情報に対応して録画された内部監視カメラ３０の撮像による金庫室１６内の画像を再生する。
【００３９】
本体警告部６９は、表示モニタ部７２に、外部監視カメラ５７が撮像している現在の画像データを常時表示可能になっている。そして、本体警告部６９は、監視部６７から警告情報を受信すると、音声発生部７１がアラーム音声を発生させることになり、表示モニタ部７２が外部監視カメラ５７の現状の画像に合わせて、警告情報の種別をアラーム画像として表示させることになる。アラーム発生後、監視部６７から正常入室情報を受信すると、本体警告部６９は、アラーム音声およびアラーム画像を停止させる。つまり、監視部６７は、警告情報を発信後、予め設定された所定時間が経過する前に（つまり係員により金庫室１６内で作業が不可能な時間内に）、係員が金庫室１６から出たことが、認識部６６で認識され、その後、正しい手順で入室が行われたことが認識部６６で認識されると、警告情報の発信を停止させることになり、これを受けて本体警告部６９は、アラームを停止させる。
【００４０】
出入口案内部７６は、ノイズフィルタ３２、内部通信ケーブル３１、金属製の枠体２１、外部通信ケーブル４９およびノイズフィルタ５２を介して監視装置本体６３に入力されている内部監視カメラ３０の現在撮像している画像データを、表示モニタ部７８に常時表示させるようになっている。そして、出入口案内部７６は、監視部６７から警告情報を受信すると、出入口１８の近傍に設置された音声発生部７７がアラーム音声を発生させることになり、表示モニタ部７８が内部監視カメラ３０の現状の画像に合わせて、警告情報の種別をアラーム画像として表示させることになる。アラーム音声の発生後、監視部６７から正常入室情報を受信すると、出入口案内部７６は、アラーム音声およびアラーム画像を停止させる。この出入口案内部７６で発生させるアラーム音声は、例えば、不正行動があったため、適正な手順、つまり金庫室１６内の照明器具２５の点灯を確認し且つ表示モニタ部７８で金庫室１６内の画像データが表示状態にあることを確認した後に、入室するように促すガイダンス音声およびガイダンス画像となっている。
【００４１】
次に、第１実施形態の監視カメラシステム１１の作動について、係員の金庫室１６への入室の手順に沿って説明する。
【００４２】
係員が金庫室１６に入室するにあたって、扉１９の前に立ち、扉１９を全開状態まであけ、金庫室１６に入室することなく、金庫室１６の出入口１８の内側近傍の係止具３６に掛けられた電源供給用コード３５を持ち、これを出入口１８を介して執務室１５側に引き出して、電源コンセント４０に接続させる。これにより、金庫室１６内に設けられた照明器具２５および内部監視カメラ３０に電力が供給され、これらが電源ＯＮの状態になる。すると、照明器具２５が点灯するとともに、内部監視カメラ３０の画像データが、ノイズフィルタ３２、内部通信ケーブル３１、金属製の枠体２１、外部通信ケーブル４９およびノイズフィルタ５２を介して有線で録画装置５１に送信され、録画装置５１に記憶されるとともに、外部監視装置５５の監視装置本体６３に入力されて出入口案内部７６の表示モニタ部７８に表示される。
【００４３】
ここで、外部監視装置５５は、常時、外部監視カメラ５７で撮像した画像データを録画装置５９に日時情報とともに記憶しており、認識部６６が、出入口１８つまり扉１９の近傍の状況を外部監視カメラ５７の画像データを解析している。そして、認識部６６は、扉本体２２が閉じられ扉１９の前に係員がいない状態から、扉本体２２が閉じられ扉１９の前に係員がいる状態に変化し、さらに扉本体２２が開かれて扉１９の前に係員がいる状態に変化した場合、係員の金庫室１６への入室動作が発生したと認識する。そして、扉本体２２が開かれて扉１９の前に係員がいる状態から、さらに、扉本体２２が開かれて扉１９の前に係員がいない状態に変化すると、係員の金庫室１６への入室動作が完了したと認識する。
【００４４】
そして、照明器具２５の点灯および表示モニタ部７８への金庫室１６内の画像の表示を待って金庫室１６に入室することがルール化されており、係員がこれらを待ってから金庫室１６に入室した場合、つまり、外部監視装置５５においては、認識部６６によって外部監視カメラ５７の画像データの輝度の変化から照明器具２５の点灯を確認し、録画装置５１によって金庫室１６内の画像データを受信したことを確認してから、上記のように金庫室１６への入室動作が完了したと認識した場合は、監視部６７が正常入室情報を出力する。これにより、本体警告部６９および出入口案内部７６でアラームを発生させることはなく、照明器具２５で明るく照らされた金庫室１６内の内部監視カメラ３０により撮像された画像データが、ノイズフィルタ３２、内部通信ケーブル３１、金属製の枠体２１、外部通信ケーブル４９およびノイズフィルタ５２を介して録画装置５１に送信され、録画装置５１に日時情報とともに記憶される。
【００４５】
他方、認識部６６が、照明器具２５の点灯を確認し且つ録画装置５１によって金庫室１６内の画像データを受信したことの二条件を確認する前に、金庫室１６への入室動作が完了したと認識した場合は、監視部６７が不正行動があったと判定して、その種別を含む警告情報を発信する。具体的には、認識部６６によって金庫室１６内の照明器具２５の点灯を確認した後であって、録画装置５１によって金庫室１６内の画像データを受信する前に、認識部６６によって入室動作が完了したことを認識した場合、種別が画像データ受信前入室である警告情報を発信する。また、録画装置５１によって金庫室１６内の画像データを受信した後であって、認識部６６によって金庫室１６内の照明器具２５の点灯を確認する前に、認識部６６によって金庫室１６への入室動作を確認した場合に、種別が点灯前入室である警告情報を発信する。また、録画装置５１によって金庫室１６内の画像データを受信する前であって、認識部６６によって金庫室１６内の照明器具２５の点灯を確認する前に、認識部６６によって金庫室１６への入室動作を確認した場合に、種別が画像データ受信前且つ点灯前入室である警告情報を発信する。
【００４６】
すると、記憶部６８が、警告情報に含まれる種別と受信時点の日時である発生日時情報とを関連づけて記憶することになり、本体警告部６９および出入口案内部７６がアラームを発生させることになる。つまり、本体警告部６９は、音声発生部７１がアラーム音声を発生させることになり、表示モニタ部７２が外部監視カメラ５７の現状の画像に合わせて、警告情報の種別をアラーム画像として表示させることになる。他方、出入口案内部７６も、出入口１８の近傍に設置された音声発生部７７がアラーム音声を発生させることになり、表示モニタ部７８が内部監視カメラ３０の現状の画像に合わせて、警告情報の種別をアラーム画像として表示させることになる。
【００４７】
アラーム発生により、係員が不正行動に気付き、金庫室１６から一旦退室して、照明器具２５の点灯および表示モニタ部７８への画像データの表示を待って入室すると、アラーム発生後、予め設定された所定時間が経過する前に、金庫室１６から出たことが、認識部６６で認識され、その後、正しい手順で入室が行われたことが認識部６６で認識されることになり、これを受けて、監視部６７は、警告情報の発信を停止させ正常入室情報を発信することになり、これを受けて本体警告部６９および出入口案内部７６は、アラームを停止させる。
【００４８】
そして、金庫室１６での作業が終わり、退室する場合には、電源供給用コード３５を電源コンセント４０から抜くことになり、これにより、金庫室１６内に設けられた照明器具２５および内部監視カメラ３０への電力供給が断たれ、これらが電源ＯＦＦの状態になる。すると、録画装置５１が画像データを受信しなくなり、これにより録画装置５１は録画を停止する。
【００４９】
一方、状況確認が必要になって、管理者が、表示モニタ部７２へのガイダンス表示にしたがって操作部７０に適宜の操作入力を行うと、再生制御部７３は、記憶部６８に記憶されている全ての警告情報の種別データと発生日時情報とを関連づけて並べて表示モニタ部７２に表示させる。そして、これらからいずれか一つのデータが操作部７０で指定されると、再生制御部７３は、このデータの発生日時情報の前後所定時間において録画装置５９で録画した画像を再生し日時情報と合わせて表示モニタ部７２に表示させる。これにより、すべての不正行動についての出入口１８付近での画像を日時情報で検索して選択的に再生できるため、状況確認が容易にできることになる。
【００５０】
また、状況確認が必要になって、管理者が、表示モニタ部７２へのガイダンス表示にしたがって操作部７０に適宜の操作入力を行うと、再生制御部７３は、操作部７０に指定入力された日時情報において録画装置５１で録画した画像を再生し日時情報と合わせて表示モニタ部７２に表示させる。これにより、金庫室１６内の画像を日時情報で検索して選択的に再生できるため、状況確認が容易にできることになる。
【００５１】
以上に述べた第１実施形態の監視カメラシステム１１によれば、金庫室１６の内外に常に露出する扉１９の金属製の枠体２１を導線として使用し、この枠体２１を介して、金庫室１６内に設けられた内部監視カメラ３０で撮影した画像データを、これを録画する録画装置５１に通信するため、金庫室１６の内外を貫通して通信用のケーブルを敷設することなく、画像データを通信可能となる。したがって、金庫室１６の防火性能を向上した上で、金庫室１６内を監視することができる。勿論、金庫室１６内で不正な行為がなされていないかを録画装置５１の画像データを再生することによって確認できる。
【００５２】
また、金庫室１６内には、内部監視カメラ３０を駆動可能な電源、つまり常時電力を供給可能な電力供給機構（バッテリを含む）が設けられていないため、金庫室１６内に熱源がなく、防火上好ましい。そして、金庫室１６に人が出入りする時に、出入りのため扉１９の扉本体２２で開状態とされた金庫室１６の出入口１８を介して、金庫室１６外の駆動電源３９の電源コンセント４０に、内部監視カメラ３０用の電源供給用コード３５を接続させることで、金庫室１６内を内部監視カメラ３０で監視することができる。
【００５３】
また、扉１９の扉本体２２で開状態とされた金庫室１６の出入口１８を介して、金庫室１６外の駆動電源３９の電源コンセント４０に、内部監視カメラ３０用の電源供給用コード３５を接続させるため、扉１９を閉じるときには金庫室１６外の駆動電源３９の電源コンセント４０と内部監視カメラ３０用の電源供給用コード３５との接続を解除する必要があり、電源接続の解除忘れがない。よって、防火上さらに好ましい。加えて、電源ケーブルを金庫室１６の内外を貫通して敷設する必要がなくなるため、防火上さらに好ましい。
【００５４】
また、内部監視カメラ３０が、金庫室１６内の照明器具２５と同一の電源供給用コード３５によって、同一の駆動電源３９から電力供給を受ける構成とされているため、金庫室１６内で作業するために照明器具２５を電源ＯＮ状態とすると内部監視カメラ３０も電源ＯＮ状態となって、自動的に金庫室１６内を監視可能な状態となる。また、金庫室１６内での作業が終了して照明器具２５を電源ＯＦＦ状態とすると内部監視カメラ３０も電源ＯＦＦ状態となる。したがって、照明器具２５を電源ＯＮ状態とする、係員が金庫室１６内で業務を行う状況においてのみ、内部監視カメラ３０を電源ＯＮ状態にでき、必要最小限の電力供給にて機能させることができる。
【００５５】
また、同一の駆動電源３９の投入手段である電源供給用コード３５および電源コンセント４０が、金庫室１６の扉１９の近傍に配設されているため、電源の投入作業を容易に、しかも金庫室１６内に入室せずに行うことができる。また、金庫室１６の扉１９の近傍に配設された電源供給用コード３５および電源コンセント４０を接続操作して照明器具２５を電源ＯＮ状態とすると、内部監視カメラ３０が電源ＯＮ状態となるため、係員の作業の流れに不自然な違和感を抱かせることなく、係員の入室後に金庫室１６内を監視可能となる。なお、電源供給用コードを執務室１５側に設けて駆動電源３９に常時接続させておき、照明器具２５および内部監視カメラ３０に接続されたコンセントを金庫室１６内に設けて、出入口１８を介して執務室１５側から金庫室１６に電源供給用コードを引き込んでコンセントに接続させて電力供給を行うようにしても良い。
【００５６】
また、画像データのノイズを除去するノイズフィルタ３２，５２が設けられているため、枠体２１を介することにより画像データに生じやすくなるノイズを除去することができる。なお、ノイズフィルタ３２，５２はノイズの発生状況に応じていずれか一方のみを設けるようにしても良い。また、ノイズフィルタ３２の位置は内部監視カメラ３０と内部接続点２９との間であればいずれに位置に設けても良く、ノイズフィルタ５２の位置は外部接続点４８と録画装置５１との間であればいずれに位置に設けても良い。さらに、ノイズを除去する手段として、内部監視カメラ３０からの信号を、予め定められた特定の周波数の信号に載せて出力し、録画装置５１への入力前に、予め定められた特定の周波数の信号を除去することで、内部監視カメラ３０からの信号のみを取り出すフィルタを設けても良い。
【００５７】
なお、以上の第１実施形態においては、金庫室１６内の電源供給用コード３５を、金庫室１６外の電源コンセント４０に接続させることで内部監視カメラ３０および照明器具２５に給電を行う場合を例にとり説明したが、内部監視カメラ３０および照明器具２５に給電するための電源供給ラインを耐火構造とすれば、金庫室１６の内外を貫通して電源供給ラインを設けて金庫室１６の外の手動スイッチのオンおよびオフで内部監視カメラ３０および照明器具２５への給電および給電停止を切り換えるようにすることも可能である。電源供給ラインの耐火構造としては、電源供給ラインが加熱・発火して金庫室１６の内部で火災が発生しないように、電源供給ラインを金庫室１６の床下となる土台に設けて炎による熱を伝わり難くする構造や、電源供給ラインを棒状金属体で構成して燃え難くする構造等が適用可能である。
【００５８】
ここで、以上に述べた第１実施形態の監視カメラシステムによれば、金属製の枠体を有する扉を備えた金庫室内を監視する監視カメラシステムであって、前記金庫室内には監視カメラ（内部監視カメラ３０）が設けられ、前記金庫室外には画像データを録画する録画手段（録画装置５１）と、前記金庫室の扉近傍を監視する監視手段（外部監視装置５５）とが設けられ、前記監視カメラと前記録画手段とが前記枠体を介して前記画像データを通信可能に接続されており、前記監視手段が、少なくとも前記金庫室への入室動作を認識する認識手段（認識部６６）を備えているため、例えば前記監視カメラを駆動することで前記録画手段で画像データを受信する前に、金庫室への入室動作を認識すると不正行動と判断することができる。なお、認識手段による入室動作の認識にあっては、金庫室の扉本体が閉じられて扉の前に係員がいない状態から、扉本体が閉じられ扉の前に係員がいる状態に変化し、さらに扉本体が開かれて扉の前に係員がいる状態に変化した場合に、係員の金庫室への入室動作が発生したと認識し、そしてさらに、扉本体が開かれて扉の前に係員がいる状態から、さらに、扉本体が開かれて扉の前に係員がいない状態に変化すると、係員の金庫室への入室動作が完了したと認識するものと説明したが、このような状態変化の確認で認識するのではなく、係員が開かれた扉本体から金庫室内へ入っていく動作そのものを認識することで、入室動作を認識するようにしても良い。
【００５９】
前記監視手段は、前記録画手段によって前記金庫室内の画像データを受信する前に、前記認識手段によって前記入室動作を認識した場合、警告情報を発信するため、前記録画手段によって金庫室内の画像データを受信したことを確認してから、入室動作を行うようにルール化しておくことで、このルールを破った場合に、不正行動と判定して、警告情報を発信することができる。
【００６０】
前記認識手段が、前記金庫室内の照明器具の点灯を認識可能であり、前記監視手段は、前記認識手段によって前記金庫室内の照明器具の点灯を確認する前に、前記認識手段によって前記金庫室への入室動作を確認した場合、警告情報を発信するため、金庫室内の前記照明器具が点灯してから、入室動作を行うようにルール化しておくことで、このルールを破った場合に、不正行動と判定して、警告情報を発信することができる。
【００６１】
前記認識手段が、前記金庫室内の照明器具の点灯を認識可能であり、前記監視手段は、前記認識手段によって前記金庫室内の照明器具の点灯を確認し且つ前記録画手段によって前記金庫室内の画像データを受信する前に、前記認識手段によって前記金庫室への入室動作を確認した場合、警告情報を発信するため、前記照明器具の点灯を確認し且つ前記録画手段によって金庫室内の画像データを受信したことを確認してから、入室動作を行うようにルール化しておくことで、このルールを破った場合に、不正行動と判定して、警告情報を発信することができる。
【００６２】
前記警告情報を受けると、その時点の日時である発生日時情報を記憶する記憶手段を有するため、不正行動があったと判定した警告情報の発生日時を後から確認することができる。
【００６３】
前記警告情報を受けると、アラームを発生させる警告手段を有するため、例えば、金庫室に入室する係員に不正行動があったことを認識させることができ、正しい手順での入室を促すことができ、あるいはその後の不正行動を未然に防止することができる。
【００６４】
本発明の第２実施形態の監視カメラシステムを第１実施形態との相違部分を中心に以下に説明する。
【００６５】
第２実施形態において、外部監視装置５５は、出入口１８近傍の出入口案内部（ガイド手段，警告手段）７６が、監視装置本体６３の監視部６７から案内情報を受けると金庫室１６への入室可否を案内するとともに、監視部６７から警告情報を受けるとアラームを発生させるもので、出入口案内部７６は、音声発生部７７がガイド音声およびアラーム音声等を発生させ、表示モニタ部７８がガイド表示およびアラーム表示等を行う。
【００６６】
第２実施形態において、認識部６６は、現在取得している画像データが、扉本体２２が閉じられ扉１９の前に係員がいない状態から、連続的に、扉本体２２が閉じられ扉１９の前に係員がいる状態に変化すると、金庫室１６前への接近動作が発生したと認識する。また、認識部６６は、現在取得している画像データが、扉本体２２が閉じられ扉１９の前に係員がいる状態から、連続的に、扉本体２２が開かれて扉１９の前に係員がいる状態に変化した場合、係員の金庫室１６への入室動作が発生したと認識する。また、認識部６６は、現在取得している画像データが、扉本体２２が開かれて扉１９の前に係員がいる状態から、連続的に、扉本体２２が開かれて扉１９の前に係員がいない状態に変化すると、係員の金庫室１６への入室動作が完了したと認識する。
【００６７】
また、認識部６６は、現在取得している画像データが、扉本体２２が開かれて扉１９の前に係員がいない状態から、連続的に、扉本体２２が開かれて扉１９の前に係員がいる状態に変化した場合、金庫室１６からの退室動作が発生したと認識する。また、認識部６６は、現在取得している画像データが、扉本体２２が開かれて扉１９の前に係員がいる状態から、連続的に、扉本体２２が閉じられて扉１９の前に係員がいる状態に変化した場合、金庫室１６からの退室動作が完了したと認識する。また、認識部６６は、現在取得している画像データが、扉本体２２が閉じられて扉１９の前に係員がいる状態から、連続的に、扉本体２２が閉じられて扉１９の前に係員がいない状態に変化すると、金庫室１６からの退避動作が発生したと認識する。
【００６８】
また、認識部６６は、外部監視カメラ５７で取得した画像データの輝度の変化から、金庫室１６の扉本体２２が開かれた状態で金庫室１６内の照明器具２５が点灯した状態にあるか、扉本体２２が開かれた状態で照明器具２５が消灯した状態を含む、それ以外の非点灯の状態にあるかを認識するようになっている。
【００６９】
監視部６７は、認識部６６が金庫室１６前への接近動作が発生したと認識している場合に、種別が接近動作発生である動作情報を発信し、また、認識部６６が金庫室１６への入室動作が発生したと認識している場合に、種別が入室動作発生である動作情報を発信し、さらに、認識部６６が金庫室１６への入室動作が完了したと認識している場合に、種別が入室動作完了である動作情報を発信する。
【００７０】
また、監視部６７は、認識部６６が金庫室１６からの退室動作が発生したと認識している場合に、種別が退室動作発生である動作情報を発信し、また、認識部６６が金庫室１６からの退室動作が完了したと認識している場合に、種別が退室動作完了である動作情報を発信し、さらに、認識部６６が金庫室１６からの退避動作が発生したと認識している場合に、種別が退避動作発生である動作情報を発信する。
【００７１】
また、監視部６７は、認識部６６が金庫室１６内の照明器具２５の点灯を認識している場合に、種別が点灯である点灯状態情報を出力することになり、認識部６６が金庫室１６内の照明器具２５の非点灯（扉１９の閉状態も含む）を認識している場合に、種別が非点灯である点灯状態情報を出力することになる。
【００７２】
また、監視部６７は、録画装置５１が金庫室１６内の画像データを受信している場合に、種別が受信である受信状態情報を出力することになり、録画装置５１が金庫室１６内の画像データを受信していない場合に、種別が非受信である受信状態情報を出力することになる。
【００７３】
出入口案内部７６は、監視部６７から動作情報を受信した場合、その受信時点から所定の一定時間だけ、受信した動作情報に応じたアナウンス音声を音声発生部７７が発生させることになり、受信時点から適宜のタイミングまで、受信した動作情報に応じたアナウンス画像を表示モニタ部７８が表示させることになる。
【００７４】
また、出入口案内部７６は、監視部６７から状態情報を受信した場合、その受信時点から所定の一定時間だけ、受信した状態情報に応じたアナウンス音声を音声発生部７７が発生させることになり、受信時点から適宜のタイミングまで、受信した状態情報に応じたアナウンス画像を表示モニタ部７８が表示させることになる。つまり、種別が点灯である点灯状態情報を受信し且つ種別が受信である受信状態情報を受信した場合と、それ以外の場合（種別が非点灯である点灯状態情報を受信した場合および種別が非受信である受信状態情報を受信した場合の少なくともいずれか一方の場合）とで、アナウンス内容を変えることになる。
【００７５】
次に、第２実施形態の監視カメラシステム１１の作動について、係員の金庫室１６への入退室の手順に沿って説明する。
【００７６】
外部監視装置５５は、常時、外部監視カメラ５７で撮像した画像データを録画装置５９に日時情報とともに記憶しており、認識部６６で、出入口１８つまり扉１９の近傍の状況を外部監視カメラ５７の画像データを解析することで把握している。このため、係員が金庫室１６に入室するにあたって扉１９の前に立つと、外部監視カメラ５７で撮影された画像データが、扉本体２２が閉じられ扉１９の前に係員がいない状態から、連続的に、扉本体２２が閉じられ扉１９の前に係員がいる状態に変化することになり、これにより、認識部６６が、金庫室１６前への接近動作が発生したと認識し、これを受けて監視部６７が、種別が接近動作発生である動作情報を発信する。
【００７７】
このように、種別が接近動作発生である動作情報を受信すると、出入口案内部７６は、この時点では、監視部６７から、種別が非点灯である点灯状態情報を受信し且つ種別が非受信である受信状態情報を受信していることから、予め設定された一定時間（一定回数）だけ、照明器具２５の点灯操作を促し且つ入室を禁止する旨の、例えば「扉を開け、入室せずに電源コードを接続して下さい。まだ入室はできません。」のアナウンス音声を音声発生部７７に発生させることになり、監視部６７から、種別が入室動作発生である動作情報を受信するまで、アナウンス音声と同じ、照明器具２５の点灯操作を促し且つ入室を禁止する旨の、例えば「扉を開け、入室せずに電源コードを接続して下さい。まだ入室はできません。」のアナウンス表示を表示モニタ部７８に表示させる。
【００７８】
このアナウンス音声およびアナウンス表示にしたがって、係員が、まず、扉１９の扉本体２２を全開状態まであけると、外部監視カメラ５７で撮影された画像データが、扉本体２２が閉じられ扉１９の前に係員がいる状態から、連続的に、扉本体２２が開かれて扉１９の前に係員がいる状態に変化することになり、これにより、認識部６６が、係員の金庫室１６への入室動作が発生したと認識し、これを受けて監視部６７が、種別が入室動作発生である動作情報を発信する。
【００７９】
このように、種別が入室動作発生である動作情報を受信すると、出入口案内部７６は、この時点では、監視部６７から、種別が非点灯である点灯状態情報を受信し且つ種別が非受信である受信状態情報を受信していることから、予め設定された一定時間（一定回数）だけ、入室を禁止する旨の、例えば「まだ入室はできません。」のアナウンス音声を音声発生部７７に発生させることになり、監視部６７から、種別が点灯である点灯状態情報を受信し且つ種別が受信である受信状態情報を受信するまで、アナウンス音声と同じ、入室を禁止する旨の、例えば「まだ入室はできません。」のアナウンス表示を表示モニタ部７８に表示させる。
【００８０】
上記のように、扉１９の扉本体２２を全開状態まであけた後、係員は、金庫室１６に入室することなく、金庫室１６の出入口１８の内側近傍の係止具３６に掛けられた電源供給用コード３５を持ち、これを出入口１８を介して執務室１５側に引き出して、電源コンセント４０に接続させる。これにより、金庫室１６内に設けられた照明器具２５および内部監視カメラ３０に電力が供給され、これらが電源ＯＮの状態になる。すると、照明器具２５が点灯するとともに、内部監視カメラ３０の画像データが、ノイズフィルタ３２、内部通信ケーブル３１、金属製の枠体２１、外部通信ケーブル４９およびノイズフィルタ５２を介して、録画装置５１に有線で送信され、録画装置５１に記憶されるとともに外部監視装置５５の出入口案内部７６の表示モニタ部７８に表示される。
【００８１】
上記において、認識部６６が金庫室１６内の照明器具２５の点灯を確認すると、監視部６７は、種別が点灯である点灯状態情報を出力することになり、また、録画装置５１が金庫室１６内の画像データを受信すると、監視部６７は、種別が受信である受信状態情報を出力することになる。なお、出入口案内部７６は、種別が点灯である点灯状態情報を受信しても、種別が受信である受信状態情報を受信しない状態と、種別が受信である受信状態情報を受信しても、種別が点灯である点灯状態情報を受信しない状態と（種別が点灯である点灯状態情報を受信し且つ種別が受信である受信状態情報を受信する状態、以外の状態）については、上記した入室を禁止する旨のアナウンス表示を維持する。
【００８２】
そして、種別が点灯である点灯状態情報を受信し且つ種別が受信である受信状態情報を受信すると、出入口案内部７６は、予め設定された一定時間（一定回数）だけ、入室を許可する旨の、例えば「入室できます。」のアナウンス音声を音声発生部７７に発生させることになり、監視部６７から、種別が入室動作完了である動作情報を受信するまで、アナウンス音声と同じ、入室を許可する旨の、例えば「入室できます。」のアナウンス表示を表示モニタ部７８に表示させる。
【００８３】
このアナウンス音声およびアナウンス表示にしたがって、係員が、金庫室１６に入室すると、外部監視カメラ５７で撮影された画像データが、扉１９の扉本体２２が開かれて扉１９の前に係員がいる状態から、連続的に、扉本体２２が開かれて扉１９の前に係員がいない状態に変化することになり、これにより、認識部６６が、係員の金庫室１６への入室動作が完了したと認識し、これを受けて監視部６７が、種別が入室動作完了である動作情報を発信する。
【００８４】
このように、種別が入室動作完了である動作情報を受信すると、出入口案内部７６は、それまで表示モニタ部７８に表示させていた、入室を許可する旨のアナウンス表示を停止することになり、表示モニタ部７８には、金庫室１６内の画像のみが表示される状態となる。
【００８５】
出入口案内部７６の入室を許可する旨のアナウンス音声およびアナウンス表示を待って金庫室１６に入室することがルール化されており、係員がこれらを待ってから金庫室１６に入室した場合、つまり、外部監視装置５５においては、認識部６６が、外部監視カメラ５７の画像データの輝度の変化から照明器具２５の点灯を確認し、録画装置５１によって金庫室１６内の画像データを受信したことを確認してから、上記のように金庫室１６への入室動作が完了したと認識した場合は、監視部６７が正常入室情報を出力する。これにより、本体警告部６９および出入口案内部７６でアラームを発生させることはなく、照明器具２５で明るく照らされた金庫室１６内の内部監視カメラ３０により撮像された画像データが、ノイズフィルタ３２、内部通信ケーブル３１、金属製の枠体２１、外部通信ケーブル４９およびノイズフィルタ５２を介して、録画装置５１に送受信され、録画装置５１に日時情報とともに記憶される。
【００８６】
他方、認識部６６が、照明器具２５の点灯を確認し且つ録画装置５１によって金庫室１６内の画像データを受信したことの二条件を確認する前に、金庫室１６への入室動作が完了したと認識した場合は、監視部６７が不正行動があったと判定して、その種別を含む警告情報を発信する。具体的には、認識部６６によって金庫室１６内の照明器具２５の点灯を確認した後であって、録画装置５１によって金庫室１６内の画像データを受信する前に、認識部６６によって入室動作が完了したことを認識した場合、種別が画像データ受信前入室である警告情報を発信する。また、録画装置５１によって金庫室１６内の画像データを受信した後であって、認識部６６によって金庫室１６内の照明器具２５の点灯を確認する前に、認識部６６によって金庫室１６への入室動作を確認した場合に、種別が点灯前入室である警告情報を発信する。また、録画装置５１によって金庫室１６内の画像データを受信する前であって、認識部６６によって金庫室１６内の照明器具２５の点灯を確認する前に、認識部６６によって金庫室１６への入室動作を確認した場合に、種別が画像データ受信前且つ点灯前入室である警告情報を発信する。
【００８７】
すると、記憶部６８が、警告情報に含まれる種別と受信時点の日時である発生日時情報とを関連づけて記憶することになり、本体警告部６９および出入口案内部７６がアラームを発生させることになる。つまり、本体警告部６９は、音声発生部７１がアラーム音声を発生させることになり、表示モニタ部７２が外部監視カメラ５７の現状の画像に合わせて、警告情報の種別をアラーム画像として表示させることになる。他方、出入口案内部７６も、出入口１８の近傍に設置された音声発生部７７がアラーム音声を発生させることになり、表示モニタ部７８が内部監視カメラ３０の現状の画像に合わせて、警告情報の種別をアラーム画像として表示させることになる。
【００８８】
アラーム発生により、係員が不正行動に気付き、金庫室１６から一旦退室して、照明器具２５の点灯および表示モニタ部７８への画像データの表示を待って入室すると、アラーム発生後、予め設定された所定時間が経過する前に、金庫室１６から出たことが、認識部６６で認識され、その後、正しい手順で入室が行われたことが認識部６６で認識されることになり、これを受けて、監視部６７は、警告情報の発信を停止させ正常入室情報を発信することになり、これを受けて本体警告部６９および出入口案内部７６は、アラームを停止させる。
【００８９】
そして、金庫室１６での作業が終わり、退室する場合には、電源供給用コード３５を電源コンセント４０から抜くことになり、これにより、金庫室１６内に設けられた照明器具２５、内部監視カメラ３０への電力供給が断たれ、電源ＯＦＦの状態になる。すると、録画装置５１が画像データを受信しなくなり、録画装置５１は録画を停止する。
【００９０】
係員が、金庫室１６から退室すると、外部監視カメラ５７で撮影された画像データが、扉本体２２が開かれて扉１９の前に係員がいない状態から、連続的に、扉本体２２が開かれて扉１９の前に係員がいる状態に変化することになり、これにより、認識部６６が、係員の金庫室１６からの退室動作が発生したと認識し、これを受けて監視部６７が、種別が退室動作発生である動作情報を発信する。
【００９１】
このように、種別が退室動作発生である動作情報を受信すると、出入口案内部７６は、種別が非点灯である点灯状態情報を受信し且つ種別が非受信である受信状態情報を受信している状態には、なっていない場合、電源供給用コード３５の抜き忘れの可能性があるため、予め設定された一定時間（一定回数）だけ、電源供給用コード３５の電源コンセント４０からの引き抜きおよび扉１９の閉操作を促す旨の、例えば「電源コードを抜いて、扉を閉めて下さい。」のアナウンス音声を音声発生部７７に発生させることになり、監視部６７から、種別が非点灯である点灯状態情報を受信し且つ種別が非受信である受信状態情報を受信するまで、アナウンス音声と同じ、電源供給用コード３５の電源コンセント４０からの引き抜きおよび扉１９の閉操作を促す旨の、例えば「電源コードを抜いて、扉を閉めて下さい。」のアナウンス表示を表示モニタ部７８に表示させる。
【００９２】
また、上記のように種別が退室動作発生である動作情報を受信した時点で、種別が非点灯である点灯状態情報を受信し且つ種別が非受信である受信状態情報を受信している場合には、予め設定された一定時間（一定回数）だけ、入室を禁止し扉１９の閉操作を促す旨の、例えば「入室できなくなりました。扉を閉めて下さい。」のアナウンス音声を音声発生部７７に発生させることになり、監視部６７から、種別が退室動作完了である動作情報を受信するまで、アナウンス音声と同じ、入室を禁止し扉１９の閉操作を促す旨の、例えば「入室できなくなりました。扉を閉めて下さい。」のアナウンス表示を表示モニタ部７８に表示させる。
【００９３】
係員が、扉１９を閉じると、外部監視カメラ５７で撮影された画像データが、扉本体２２が開かれて扉１９の前に係員がいる状態から、連続的に、扉本体２２が閉じられて扉１９の前に係員がいる状態に変化することになり、これにより、認識部６６が、係員の金庫室１６からの退室動作が完了したと認識し、これを受けて監視部６７が、種別が退室動作完了である動作情報を発信する。
【００９４】
このように、種別が退室動作完了である動作情報を受信すると、出入口案内部７６は、予め設定された一定時間（一定回数）だけ、入室を禁止する旨の、例えば「入室できません。」のアナウンス音声を音声発生部７７に発生させることになり、監視部６７から、種別が退避動作発生である動作情報を受信するまで、アナウンス音声と同じ、入室を禁止する旨の、例えば「入室できません。」のアナウンス表示を表示モニタ部７８に表示させる。
【００９５】
係員が金庫室１６から退避すると、外部監視カメラ５７で撮影された画像データが、扉本体２２が閉じられて扉１９の前に係員がいる状態から、連続的に、扉本体２２が閉じられて扉１９の前に係員がいない状態に変化することになり、これにより、認識部６６が、係員の金庫室１６からの退避動作が発生したと認識し、これを受けて監視部６７が、種別が退避動作発生である動作情報を発信する。
【００９６】
このように、種別が退避動作発生である動作情報を受信すると、出入口案内部７６は、それまで表示モニタ部７８に表示されていた、入室を禁止する旨の、例えば「入室できません。」のアナウンス表示を停止する。
【００９７】
以上に述べた第２実施形態の監視カメラシステムは、金庫室への入室可否を案内するガイド手段（出入口案内部７６）を備えているため、例えば、監視カメラ（内部監視カメラ３０）および録画手段（録画装置５１）の状態に応じて入室可否を案内することで、監視できない状況下での入室を抑制できる。
【００９８】
また、前記ガイド手段は、前記録画手段による前記金庫室内の画像データの受信と非受信とで、アナウンス内容を変えるため、例えば、録画手段によって金庫室内の画像データを受信する状態では、金庫室内の様子を監視カメラで撮影でき且つ録画手段で録画できる状態となっていると判断して、入室可であることを案内し、録画手段が金庫室内の画像データを非受信の状態では、金庫室内の様子を監視カメラで撮影でき且つ録画手段で録画できる状態となっていないと判断して、入室不可であることを案内することができる。
【００９９】
また、前記認識手段（認識部６６）が、前記金庫室内の照明器具の点灯を認識可能であり、前記ガイド手段は、前記認識手段により認識される前記金庫室内の照明器具の点灯と非点灯とで、アナウンス内容を変えるため、例えば、認識手段によって金庫室内の照明器具の点灯を認識していれば、金庫室内の様子を監視カメラで撮影できる状態となっていると判断して、入室可であることを案内し、認識手段によって金庫室内の照明器具の非点灯を認識していれば、金庫室内の様子を監視カメラで撮影できる状態となっていないと判断して、入室不可であることを案内することができる。
【０１００】
また、前記認識手段が、前記金庫室内の照明器具の点灯を認識可能であり、前記ガイド手段は、前記認識手段によって前記金庫室内の照明器具の点灯を確認し且つ前記録画手段によって前記金庫室内の画像データを受信している場合と、それ以外の場合とで、アナウンス内容を変えるため、例えば、認識手段によって金庫室内の照明器具の点灯を確認し且つ録画手段によって金庫室内の画像データを受信する状態では、金庫室内の様子を監視カメラで撮影でき且つ録画手段で録画できる状態となっていると判断して、入室可であることを案内し、それ以外の状態では、金庫室内の様子を監視カメラで撮影でき且つ録画手段で録画できる状態となっていないと判断して、入室不可であることを案内することができる。
【０１０１】
また、前記認識手段は、さらに、前記金庫室からの退室動作、前記金庫室前への接近動作および前記金庫室前からの退避動作を認識可能であり、前記ガイド手段は、前記認識手段によって前記入室動作、前記退室動作、前記接近動作および前記退避動作のいずれかの動作を認識してから一定時間の間、音声案内するため、音声案内を一定時間に限ることになって、音声案内が騒音となってしまうことを防止できる。
【符号の説明】
【０１０２】
１１  監視カメラシステム
１６  金庫室
１８  出入口（開口部）
１９  扉
２１  枠体
２５  照明器具
３０  内部監視カメラ（監視カメラ）
３９  駆動電源
５１  録画装置（録画手段）
【図１】
2011151706.tif 000003
【図２】
2011151706.tif 000004
【図３】
2011151706.tif 000005
【図４】
2011151706.tif 000006